(57)【要約】【課題】  少ない操作量で正確なハイパーリンクの選択が行える電子機器を提供する。【解決手段】  電子機器（１０）は、タッチ画面（３０，３２）を有し、複数のハイパーリンク（Ｈ１，Ｈ２，Ｈ３）を含む電子文書（ＢＩ）をタッチ画面に表示して、任意のハイパーリンクを選択させる。その際、ＣＰＵ（２４）が、タッチ画面に対する操作を受け付け（Ｓ１）、電子文書中のハイパーリンク（Ｈ２）へのタッチ操作が受け付けられたとき、当該タッチ操作位置（Ｐ）を中心とする一定範囲（Ｃ）内に他のハイパーリンク（Ｈ１，Ｈ３）があるか否かを判定し（Ｓ１：ＹＥＳ→Ｓ５）、一定範囲内に他のハイパーリンクがあると判定された場合に、タッチ位置を中心として電子文書を拡大表示して（Ｓ５：ＹＥＳ→Ｓ７）、さらにこの拡大表示（ＥＩ）において任意のハイパーリンクを選択する操作を受け付ける（Ｓ１３）。【選択図】  図２
2014026359.tif 000002
【特許請求の範囲】
【請求項１】
タッチ画面を有し、複数のハイパーリンクを含む電子文書を前記タッチ画面に表示して、任意のハイパーリンクを選択させる電子機器であって、
前記タッチ画面に対する操作を受け付ける操作受付部と、
前記操作受付部により前記電子文書中のハイパーリンクへのタッチ操作が受け付けられたとき、当該タッチ操作位置を中心とする一定範囲内に他のハイパーリンクがあるか否かを判定する判定部と、
前記一定範囲内に他のハイパーリンクがあると判定された場合に、前記タッチ位置を中心として前記電子文書を拡大表示する拡大表示部とを備え、
前記操作受付部はさらに、前記拡大表示において任意のハイパーリンクを選択する操作を受け付ける、電子機器。  
【請求項２】
前記拡大表示は、前記判定用の一定範囲と同じ範囲内を拡大した表示である、請求項１記載の画像選択装置。
【請求項３】
タッチされたハイパーリンクを仮選択状態として、当該仮選択ハイパーリンクの表示態様を他のハイパーリンクとは異なる表示態様に変更する、第１表示態様変更部をさらに備える、請求項１記載の電子機器。
【請求項４】
前記操作受付部により前記タッチ画面上に表示された前記拡大表示内で、前記仮選択ハイパーリンクから他のハイパーリンクへのスライド操作が受け付けられたとき、前記仮選択ハイパーリンクに代えてスライド操作後に選択されたハイパーリンクを仮選択状態として、当該仮選択ハイパーリンクの表示態様を他のハイパーリンクとは異なる表示態様に変更する、第２表示態様変更部をさらに備える、請求項３記載の電子機器。
【請求項５】
前記第１選択部は、前記操作受付部より前記タッチ画面上に表示された前記拡大表示において前記仮選択ハイパーリンクからのリリース操作を受け付けたとき、当該仮選択ハイパーリンクを本選択状態とする、請求項３または４記載の電子機器。
【請求項６】
前記拡大表示が表示された状態で前記タッチ画面上の前記仮選択ハイパーリンク以外の位置にてリリース操作が受け付けられたとき、当該仮選択ハイパーリンンクの仮選択状態を解除し、かつ、前記拡大表示を消去する第１解消部をさらに備える、請求項５記載の電子機器。
【請求項７】
前記一定範囲内に他のハイパーリンクがないと判定された場合に、前記電子文書において前記仮選択ハイパーリンクの位置にてリリース操作が受け付けられたとき、当該仮選択ハイパーリンクを本選択する第２選択部をさらに備える、請求項５記載の電子機器。
【請求項８】
前記拡大表示が表示されていない状態で前記仮選択ハイパーリンク以外の位置にてリリース操作が受け付けられたとき、当該仮選択ハイパーリンンクの仮選択状態を解除する第２解消部をさらに備える、請求項７記載の電子機器。
【請求項９】
タッチ画面を有し、複数のハイパーリンクを含む電子文書を前記タッチ画面に表示して、任意のハイパーリンクを選択させる電子機器のＣＰＵを、
前記タッチ画面に対する操作を受け付ける操作受付部、
前記操作受付部により前記電子文書中のハイパーリンクへのタッチ操作が受け付けられたとき、当該タッチ操作位置を中心とする一定範囲内に他のハイパーリンクがあるか否かを判定する判定部、および
前記一定範囲内に他のハイパーリンクがあると判定された場合に、前記タッチ位置を中心として前記電子文書を拡大表示する拡大表示部として機能させ、
前記操作受付部はさらに、前記拡大表示において任意のハイパーリンクを選択する操作を受け付ける、タッチ選択プログラム。  
【請求項１０】
タッチ画面を有し、複数のハイパーリンクを含む電子文書を前記タッチ画面に表示する電子機器を利用して、任意のハイパーリンクを選択させるタッチ選択方法であって、
前記タッチ画面に対する操作を受け付ける操作受付ステップと、
前記操作受付ステップにより前記電子文書中のハイパーリンクへのタッチ操作が受け付けられたとき、当該タッチ操作位置を中心とする一定範囲内に他のハイパーリンクがあるか否かを判定する判定ステップと、
前記一定範囲内に他のハイパーリンクがあると判定された場合に、前記タッチ位置を中心として前記電子文書を拡大表示する拡大表示ステップとを含み、
前記操作受付ステップはさらに、前記拡大表示において任意のハイパーリンクを選択する操作を受け付ける、タッチ選択方法。
【発明の詳細な説明】
【技術分野】
【０００１】
この発明は、電子機器，タッチ選択プログラムおよび方法に関し、特にたとえば、タッチ画面に複数のハイパーリンクを含む電子文書（ブラウジング画像）を表示して任意のハイパーリンクを選択させる、電子機器，タッチ選択プログラムおよび方法に関する。
【背景技術】
【０００２】
一般に、スマートフォンやタブレットＰＣなど、小型で高解像度のタッチ画面（タッチパネル付きの液晶画面など）を有する携帯端末を利用してＷｅｂブラウジングを行う場合、ブラウジング画像において複数のハイパーリンクが互いに近接していると、所望の１つを指で正確に選択するのは簡単でない。
【０００３】
この点、特許文献１には、ユーザが画面にタッチしたとき、そのタッチ位置の周辺領域の拡大画像を画面の片隅に表示して所望のハイパーリンクを選択させる、情報処理装置が開示されている。
【特許文献１】特開２００４−３１０２１９号公報［G06F 3/03, 3/033］
【発明の概要】
【発明が解決しようとする課題】
【０００４】
しかし、引用文献１の背景技術では、画面への最初のタッチ操作の後、指を画面隅に移動して再びタッチ操作を行う必要があるので、所望のハイパーリンクを選択するために多くの操作が必要であった。
【０００５】
それゆえに、この発明の主たる目的は、新規な、電子機器，タッチ選択プログラムおよび方法を提供することである。
【０００６】
この発明の他の目的は、少ない操作量で正確なハイパーリンクの選択が行える、電子機器，タッチ選択プログラムおよび方法を提供することである。
【課題を解決するための手段】
【０００７】
この発明は、上記の課題を解決するために、以下の構成を採用した。なお、括弧内の参照符号および補足説明等は、この発明の理解を助けるために後述する実施形態との対応関係を示したものであって、この発明を何ら限定するものではない。
【０００８】
第１の態様は、タッチ画面を有し、複数のハイパーリンクを含む電子文書をタッチ画面に表示して、任意のハイパーリンクを選択させる電子機器であって、タッチ画面に対する操作を受け付ける操作受付部と、操作受付部により電子文書中のハイパーリンクへのタッチ操作が受け付けられたとき、当該タッチ操作位置を中心とする一定範囲内に他のハイパーリンクがあるか否かを判定する判定部と、一定範囲内に他のハイパーリンクがあると判定された場合に、タッチ位置を中心として電子文書を拡大表示する拡大表示部とを備え、操作受付部はさらに、拡大表示において任意のハイパーリンクを選択する操作を受け付ける。
【０００９】
第１の態様では、電子機器（１０）は、タッチ画面（３０，３２）を有し、複数のハイパーリンク（Ｈ１，Ｈ２，Ｈ３）を含む電子文書（ＢＩ）をタッチ画面に表示して、任意のハイパーリンクをユーザに選択させる。その際、操作受付部がタッチ画面に対する操作を受け付け（Ｓ１）、判定部は、操作受付部により前記電子文書中のハイパーリンク（Ｈ２）へのタッチ操作が検出されたとき、当該タッチ位置（Ｐ）を中心とする一定範囲（Ｃ）内に他のハイパーリンク（Ｈ１，Ｈ３）があるか否かを判定し（Ｓ１：ＹＥＳ→Ｓ５）、拡大表示部は、一定範囲内に他のハイパーリンクがあると判定された場合に、タッチ位置を中心として電子文書を拡大表示する（Ｓ５：ＹＥＳ→Ｓ７）。そして、操作受付部がさらに、拡大表示において任意のハイパーリンクを選択する操作を受け付ける（Ｓ１３）。
【００１０】
なお、電子文書とは、文字や画像などにより構成される電子媒体であり、例えばインターネットを利用して閲覧されるブラウジング画面や電子書籍、ユーザが作成した文書データなどが含まれる。
【００１１】
第１の態様によれば、電子文書に含まれるいずれかのハイパーリンクへのタッチ操作が検出されたとき、そのタッチされたハイパーリンクの近傍に他のハイパーリンクがある場合には、タッチ位置周辺が拡大表示されるので、ユーザは、複数のハイパーリンクが互いに隣接していても、拡大表示から所望のハイパーリンクを正しく選択することができる。また、拡大表示は、タッチ位置を中心として表示されるので、ユーザは、拡大表示からハイパーリンクを選択する際にも、指を大きく移動させる必要がなく、操作量が抑制される。したがって、少ない操作量で正確なハイパーリンクの選択が行える。
【００１２】
なお、拡大表示は、好ましくは、後述する第２の態様のように、判定用の一定範囲と同じ範囲内を拡大した画像であるが、判定用の一定範囲とは異なる範囲を拡大した画像でもよい。
【００１３】
ある実施例では、判定用の一定範囲は、タッチ点（Ｐ）を中心とする所定半径（ｒ）の円（Ｃ）であり、この円（Ｃ）内の画像がｋ倍（ｋ＞１）に拡大表示される（図４，図２（Ａ）〜図２（Ｃ））。しかし、円（Ｃ）に代えて、タッチされたハイパーリンクの表示領域（Ｈ２）の重心点（始点および終点の中点）を中心とする所定半径の円を用いてもよい。判定用の円（判定円）は、完全な円形でなくてもよく、たとえば楕円形でもよい。または、判定円に代えて、矩形（たとえばタッチ点Ｐを重心とする正方形，長方形など）やその他の形状（たとえばタッチ点Ｐを重心とする正六角形，正八角形といった多角形）を有する判定領域を用いてもよい。また、円（Ｃ）内の画像を拡大表示する代わりに、円（Ｃ）に内接する矩形内の画像を拡大表示したり、タッチされたハイパーリンクの表示領域の重心点を中心とする所定半径の円内の画像を拡大表示してもよい。
【００１４】
第２の態様は、第１の態様に従属し、拡大表示は、判定用の一定範囲と同じ範囲内を拡大した表示である。
【００１５】
第２の態様によれば、判定範囲と拡大範囲とを共通化することで、タッチ選択のための制御を単純化できる。
【００１６】
第３の態様は、第１の態様に従属し、タッチされたハイパーリンクを仮選択ハイパーリンクとして、当該仮選択ハイパーリンクの表示態様を他のハイパーリンクとは区別可能に変更する、第１表示態様変更部をさらに備える。
【００１７】
第３の態様では、第１表示態様変更部が、タッチされたハイパーリンクを仮選択状態として、当該仮選択ハイパーリンクの表示態様を他のハイパーリンクとは異なる表示態様に変更する（Ｓ３）。なお、表示態様の変更は、典型的には強調や反転であるが、色を変えたり、点滅させてもよく、あるいは、これらを適宜組み合わせ行うことも可能である。
【００１８】
ハイパーリンクが隣接していると、ユーザは、どのハイパーリンクにタッチしたかわからない場合もあるが、第３の態様によれば、仮選択状態にあるハイパーリンクをユーザに認識させることができる。
【００１９】
第４の態様は、第３の態様に従属し、操作受付部によりタッチ画面上に表示された拡大表示内で、仮選択ハイパーリンクから他のハイパーリンクへのスライド操作が受け付けられたとき、仮選択ハイパーリンクに代えてスライド操作後に選択されたハイパーリンクを仮選択状態として、当該仮選択ハイパーリンクの表示態様を他のハイパーリンクとは異なる表示態様に変更する、第２表示態様変更部をさらに備える。
【００２０】
第４の態様では、拡大表示内で仮選択ハイパーリンクから他のハイパーリンクへのスライドが検出されたとき、第２表示態様変更部が、仮選択ハイパーリンク（スライド元のハイパーリンク）に代えてスライド操作後に選択されたハイパーリンク（スライド先のハイパーリンク）を仮選択状態として、当該仮選択ハイパーリンクの表示態様を他のハイパーリンクとは異なる表示態様に変更する（Ｓ９：ＹＥＳ→Ｓ１１）。
【００２１】
第４の態様によれば、リリースが検出されない限り選択は確定しない（仮選択状態から本選択状態に移行しない）ので、ユーザは、拡大表示内で仮選択ハイパーリンクから他のハイパーリンクへのスライドを行って、仮選択の対象を変更することができる。
【００２２】
第５の態様は、第３または４の態様に従属し、第１選択部は、操作受付部よりタッチ画面上に表示された拡大表示において仮選択ハイパーリンクからのリリース操作を受け付けたとき、当該仮選択ハイパーリンクを本選択状態とする（Ｓ１３：ＹＥＳ→Ｓ１９）。
【００２３】
第５の態様によれば、ユーザは、拡大表示において仮選択状態にあるハイパーリンクから指をリリースすることで、そのハイパーリンクの選択を確定させることができる。
【００２４】
第６の態様は、第５の態様に従属し、拡大表示が表示された状態でタッチ画面上の仮選択ハイパーリンク以外の位置にてリリース操作が受け付けられたとき、当該仮選択ハイパーリンンクの仮選択状態を解除し、かつ、拡大表示を消去する第１解消部をさらに備える。
【００２５】
第６の態様では、拡大表示が表示された状態で仮選択ハイパーリンク以外からのリリースが検出されたとき、第１解消部が、仮選択ハイパーリンンクの仮選択状態を解除しかつ拡大画像を消去する（Ｓ１５：ＹＥＳ→Ｓ１７）。
【００２６】
第６の態様によれば、拡大表示が表示されている場合は、指を仮選択ハイパーリンク以外の位置までスライドさせてリリースすることで、仮選択を解除し、かつ拡大表示を消去して、タッチをやり直すことができる。
【００２７】
第７の態様は、第５の態様に従属し、一定範囲内に他のハイパーリンクがないと判定された場合に、電子文書において仮選択ハイパーリンクの位置にてリリース操作が受け付けられたとき、当該仮選択ハイパーリンクを本選択する第２選択部をさらに備える。
【００２８】
第７の態様では、一定範囲内に他のハイパーリンクがないと判定された場合に、電子文書において仮選択ハイパーリンクからのリリースが検出されると、第２選択部が、当該仮選択ハイパーリンクを本選択する（Ｓ２１：ＹＥＳ→Ｓ２５）。
【００２９】
第７の態様によれば、タッチされたハイパーリンクの近傍に他のハイパーリンクがない場合には、拡大表示は表示されず、タッチされたハイパーリンクが仮選択状態で表示されるので、その仮選択ハイパーリンクから指をリリースするだけで、そのハイパーリンクの選択を確定させることができる。
【００３０】
第８の態様は、第７の態様に従属し、拡大表示が表示されていない状態で仮選択ハイパーリンク以外の位置にてリリース操作が受け付けられたとき、当該仮選択ハイパーリンンクの仮選択状態を解除する第２解消部（Ｓ２３：ＹＥＳ→Ｓ２７）をさらに備える。
【００３１】
第８の態様では、拡大画像が表示されていない状態で仮選択ハイパーリンク以外からのリリースが検出されると、第２解消部が、仮選択ハイパーリンンクの仮選択状態を解除する（Ｓ２３：ＹＥＳ→Ｓ２７）。
【００３２】
第８の態様によれば、拡大画像が表示されていない場合は、指を仮選択ハイパーリンク以外の位置までスライドさせてリリースすることで、仮選択を解除して、タッチをやり直すことができる。
【００３３】
第９の態様は、タッチ画面（３０，３２）を有し、複数のハイパーリンク（Ｈ１，Ｈ２，Ｈ３）を含む電子文書（ＢＩ）をタッチ画面に表示して、任意のハイパーリンクを選択させる電子機器（１０）のＣＰＵ（２４）を、タッチ画面に対する操作を受け付ける操作受付部、操作受付部により電子文書中のハイパーリンク（Ｈ２）へのタッチ操作が受け付けられたとき、当該タッチ操作位置（Ｐ）を中心とする一定範囲（Ｃ）内に他のハイパーリンク（Ｈ１，Ｈ３）があるか否かを判定する判定部（Ｓ１：ＹＥＳ→Ｓ５）、および、一定範囲内に他のハイパーリンクがあると判定された場合に、タッチ位置を中心として電子文書を拡大表示する拡大表示部（Ｓ５：ＹＥＳ→Ｓ７）として機能させ、操作受付部はさらに、拡大表示において任意のハイパーリンクを選択する操作を受け付ける（Ｓ１３）、タッチ選択プログラムである。
【００３４】
第９の態様は、タッチ画面（３０，３２）を有し、複数のハイパーリンク（Ｈ１，Ｈ２，Ｈ３）を含む電子文書（ＢＩ）をタッチ画面に表示する電子機器（１０）を利用して、任意のハイパーリンクを選択させるタッチ選択方法であって、タッチ画面に対する操作を受け付ける操作受付ステップと、操作受付ステップにより電子文書中のハイパーリンク（Ｈ２）へのタッチ操作が受け付けられたとき、当該タッチ操作位置（Ｐ）を中心とする一定範囲（Ｃ）内に他のハイパーリンク（Ｈ１，Ｈ３）があるか否かを判定する判定ステップ（Ｓ１：ＹＥＳ→Ｓ５）と、一定範囲内に他のハイパーリンクがあると判定された場合に、タッチ位置を中心として電子文書を拡大表示する拡大表示ステップ（Ｓ５：ＹＥＳ→Ｓ７）とを含み、操作受付ステップはさらに、拡大表示において任意のハイパーリンクを選択する操作を受け付ける（Ｓ１３）。
【００３５】
第９または１０の態様によっても、第１の態様と同様に、少ない操作量で正確なハイパーリンクの選択が行える。
【発明の効果】
【００３６】
この発明によれば、少ない操作量で正確なハイパーリンクの選択が行える、電子機器，タッチ選択プログラムおよび方法が実現される。
【図面の簡単な説明】
【００３７】
【図１】この発明の一実施例である携帯端末の構成を示すブロック図である。
【図２】この発明のタッチ選択方法を示す図解図であり、（Ａ）は互いに隣接する３つのハイパーリンク１〜３を含むブラウジング画像を示し、（Ｂ）は（Ａ）のブラウジング画像においてハイパーリンク２へのタッチ操作によりハイパーリンク２が仮選択状態となってタッチ位置周辺の拡大画像が表示された状態を示し、（Ｃ）は拡大画像内でのハイパーリンク２からハイパーリンク３へのスライド操作により仮選択がハイパーリンク２からハイパーリンク３に移った状態を示す。
【図３】メインメモリの内容を示すメモリマップ図である。
【図４】タッチ画面に定義される座標系（Ｘ，Ｙ）、およびタッチ点（Ｐ）を中心とする所定半径（ｒ）の円（Ｃ）を示す図解図である。
【図５】ＣＰＵによるタッチ選択処理の一部を示すフロー図である。
【図６】ＣＰＵによるタッチ選択処理の他の一部を示すフロー図である。
【発明を実施するための形態】
【００３８】
図１には、携帯端末１０のハードウエア構成が示される。図１を参照して、この発明の一実施例である携帯端末１０はＣＰＵ２４を含む。ＣＰＵ２４には、キー入力装置２６、タッチパネル３２、メインメモリ３４、フラッシュメモリ３６および撮像装置３８が接続され、さらに、無線通信回路１４を介してアンテナ１２が、Ａ／Ｄコンバータ１６を介してマイク１８が、Ｄ／Ａコンバータ２０を介してスピーカ２２が、そしてドライバ２８を介してディスプレイ３０が、それぞれ接続される。
【００３９】
アンテナ１２は、図示しない基地局からの無線信号を捕捉（受信）し、また、無線通信回路１４からの無線信号を放出（送信）する。無線通信回路１４は、アンテナ１２で受信された無線信号を復調および復号化し、また、ＣＰＵ２４からの信号を符号化および変調する。マイク１８は、音波をアナログの音声信号に変換し、Ａ／Ｄコンバータ１６は、マイク１８からの音声信号をディジタルの音声データに変換する。Ｄ／Ａコンバータ２０は、ＣＰＵ２４からの音声データをアナログの音声信号に変換し、スピーカ２２は、Ｄ／Ａコンバータ２０からの音声信号を音波に変換する。
【００４０】
キー入力装置２６は、ユーザによって操作される各種のキー，ボタン（図示せず）などで構成され、操作に応じた信号（コマンド）をＣＰＵ２４に入力する。ドライバ２８は、ＣＰＵ２４からの信号に応じた画像をディスプレイ３０に表示する。タッチパネル３２は、ディスプレイ３０の表示面に設けられ、タッチ点の位置を示す信号（Ｘ，Ｙ座標：図４参照）をＣＰＵ２４に入力する。
【００４１】
メインメモリ３４は、たとえばＳＤＲＡＭなどで構成され、ＣＰＵ２４に各種の処理を実行させるためのプログラム，データなど（図３参照）を記憶する共に、ＣＰＵ２４に必要な作業領域を提供する。フラッシュメモリ３６は、たとえばＮＡＮＤ型のフラッシュメモリで構成され、プログラムなどの保存領域さらには撮像装置３８による画像データの記録領域として利用される。
【００４２】
撮像装置３８は、図示しないレンズ，イメージセンサ（たとえばＣＣＤ，ＣＭＯＳなどの撮像素子），カメラ処理回路などで構成され、レンズを経てイメージセンサ上に結像する光学像を光電変換して、これに対応する画像データを出力する。
【００４３】
ＣＰＵ２４は、メインメモリ３４に記憶されたプログラム（５２〜５６）に従って、他のハードウエア（１２〜２２，２６〜３８）を利用しつつ、各種の処理を実行する。
【００４４】
以上のように構成された携帯端末１０では、図示しないメニュー画面を通して、通話を行う通話モード、カメラ撮影を行う撮影モード、およびデータ通信を行うデータ通信モードなどを選択することができる。
【００４５】
通話モードが選択されると、携帯端末１０は、通話装置として機能する。詳しくは、キー入力装置２６によって発呼操作が行われると、ＣＰＵ２４は、無線通信回路１４を制御して発呼信号を出力する。出力された発呼信号は、アンテナ１２を介して出力され、図示しない移動通信網を経て相手の電話機に伝達される。電話機は、着信音などによる呼び出しを開始する。相手が着呼操作を行うと、ＣＰＵ２４は通話処理を開始する。一方、相手からの発呼信号がアンテナ１２によって捕捉されると、無線通信回路１４は着信をＣＰＵ２４に通知し、ＣＰＵ２４は、スピーカ２２からの着信音や図示しないバイブレータの振動などによる呼び出しを開始する。キー入力装置２６によって着呼操作が行われると、ＣＰＵ２４は通話処理を開始する。
【００４６】
通話処理は、たとえば、次のように行われる。相手から送られてきた受話音声信号は、アンテナ１２によって捕捉され、無線通信回路１４によって復調および復号化を施された後、Ｄ／Ａコンバータ２０を経てスピーカ２２に与えられる。これにより、スピーカ２２から受話音声が出力される。一方、マイク１８によって取り込まれた送話音声信号は、Ａ／Ｄコンバータ１６を経て無線通信回路１４に送られ、無線通信回路１４によって符号化および変調を施された後、アンテナ１２を通して相手に送信される。相手の電話機でも、送話音声信号の復調および復号化が行われ、送話音声が出力される。
【００４７】
撮影モードが選択されると、携帯端末１０はカメラ装置として機能する。詳しくは、ＣＰＵ２４がスルー撮影開始命令を発し、撮像装置３８はスルー撮影を開始する。撮像装置３８では、図示しないレンズを経てイメージセンサに結像した光学像は、光電変換を施され、これによって、光学像を表す電荷が生成される。スルー撮影では、イメージセンサで生成された電荷の一部が、たとえば１／６０秒毎に、低解像度の生画像信号として読み出される。読み出された生画像信号は、カメラ処理回路によってＡ／Ｄ変換，色分離，ＹＵＶ変換などの一連の画像処理を施されることで、ＹＵＶ形式の画像データに変換される。こうして、撮像装置３８からは、スルー表示用の低解像度の画像データが、たとえば６０ｆｐｓのフレームレートで出力される。出力された画像データは、現時点のスルー画像データとしてメインメモリ３４に書き込まれ、ドライバ２８は、メインメモリ３４に記憶されたスルー画像データを繰り返し読み出し、これに基づくスルー画像をディスプレイ３０に表示する。
【００４８】
そして、スルー画像の表示中にユーザがキー入力装置２６またはタッチパネル３２により動画記録操作を行うと、ＣＰＵ２４は、ドライバ２８によってメインメモリ３４から繰り返し読み出されるスルー画像データの複製を動画像データとしてフラッシュメモリ３６に繰り返し書き込んでいく。動画像データの書き込みは、キー入力装置２６またはタッチパネル３２により停止操作が行われるか、またはフラッシュメモリ３６が満杯になるまで継続される。
【００４９】
また、スルー画像の表示中にユーザがキー入力装置２６またはタッチパネル３２により静止画記録操作（シャッタ操作）を行うと、ＣＰＵ２４は、静止撮影録命令を発する。応じて、イメージセンサで生成された電荷が静止画記録用の高解像度の生画像信号として読み出され、読み出された生画像信号は、カメラ処理回路によって一連の画像処理を施されることでＹＵＶ形式の画像データに変換される。こうして、撮像装置３８から高解像度の画像データが出力され、出力された画像データは、メインメモリ３４に一時保持された後、静止画像データとしてフラッシュメモリ３６に書き込まれる。
【００５０】
データ通信モードが選択されると、携帯端末１０はデータ通信装置として機能する。詳しくは、ＣＰＵ２４は、無線通信回路１４を介してインターネット上のサーバ（図示せず）とデータ通信を行うことでハイパーテキストデータを取得し、これに基づくＨＴＭＬ文書（単に“文書”、あるいは“ブラウジング画像”，“Ｗｅｂページ”などと呼ぶ場合もある）をドライバ２８を介してディスプレイ３０に表示する。
【００５１】
ＨＴＭＬ文書には通常、幾つかのハイパーリンク（たとえばＵＲＬ(Uniform Resource Locator)，ＵＲＩ(Uniform Resource Identifier)といったインターネット上のリソースを特定するタグ情報）が埋め込まれており、ユーザが所望のハイパーリンクをタッチパネル３２の操作により選択すると、ＣＰＵ２４は、選択されたハイパーリンクに対応する別のハイパーテキストデータを取得して、ブラウジング画像の表示を更新する。ユーザは、こうしてハイパーリンクを辿ることで、互いに関連する多数のＨＴＭＬ文書ないしリソースを包括的に閲覧することができる。
【００５２】
ただし、図２（Ａ）に示されるように、ブラウジング画像ＢＩ内で複数のハイパーリンクが互いに近接している場合、その中の所望の１つを指で正しく選択するのは容易でない。
【００５３】
そこで、ＣＰＵ２４は、図２（Ｂ）に示されるように、いずれかのハイパーリンク（ここではハイパーリンク２）へのタッチが検出されたとき、そのタッチされたハイパーリンクを仮選択状態で表示（たとえば強調表示，反転表示等）する。さらに、タッチ位置の周辺（たとえばタッチ点Ｐを中心とする半径ｒの円Ｃ内：図４参照）に他のハイパーリンクが存在するか否か（ここでは他のハイパーリンクの表示領域Ｈ１，Ｈ３の少なくとも一部が円Ｃ内に含まれているか否か：図４参照）を判別して、存在すると判別された場合、タッチ位置とその周辺の画像（ここでは円Ｃ内の画像）を、タッチ位置を中心に拡大表示（ここでは半径比でｋ倍に拡大表示）する。
【００５４】
これによって、ユーザには、指先周辺の画像があたかも虫眼鏡で拡大されたように見える。すなわち、タッチしているハイパーリンク２（つまり仮選択状態で表示されているハイパーリンク：適宜“仮選択ＨＬ”と略記）とこれに隣接するハイパーリンク１，３（“隣接ＨＬ”）との間隔が拡がるので、所望のハイパーリンクを指で選択するのが容易になる。しかも、仮選択ＨＬの表示位置は拡大の前後で殆ど変化しないので、指を移動させる距離が短くて済む分、操作量も抑制される。
【００５５】
そして、仮選択ＨＬであるハイパーリンク２が所望のハイパーリンクであるなら、ハイパーリンク２から単に指をリリースするだけで、ハイパーリンク２の選択が確定（“本選択ＨＬ”に決定）される（この一連の操作を“タッチ＆リリース操作”と呼ぶ）。ハイパーリンク２に対するタッチ＆リリース操作に応じて、インターネット上からハイパーリンク２に対応するリソースが取得され、画面の表示は新たなブラウジング画像に更新される。
【００５６】
他方、仮選択ＨＬであるハイパーリンク２が所望のハイパーリンクではなく、たとえばハイパーリンク３が所望のハイパーリンクであるなら、図２（Ｃ）に示されるように、ハイパーリンク２にタッチしている指をハイパーリンク３へとスライドさせることで、ハイパーリンク２に代えてハイパーリンク３が仮選択ＨＬとなる。言い換えると、仮選択状態（表示の強調ないし反転）が、スライド元のハイパーリンク２からスライド先のハイパーリンク３に移る。こうしてスライドにより仮選択したハイパーリンク３から指をリリースすれば、ハイパーリンク３の選択が確定される（この一連の操作を“スライド＆リリース操作”と呼ぶ）。ハイパーリンク３に対するスライド＆リリース操作に応じて、インターネット上からハイパーリンク３に対応するリソースが取得され、画面の表示は新たなブラウジング画像に更新される。
【００５７】
また、仮選択されているハイパーリンクからリリースして初めてそのハイパーリンクの選択が確定（仮選択ＨＬが本選択ＨＬに決定）されるので、リリースなしで繰り返しスライドを行えば、拡大画像ＥＩ内で仮選択の対象を何度でも変更できる。たとえば、図２（Ｃ）のようにスライドによってハイパーリンク３が仮選択された後、さらにハイパーリンク１までスライドすると、ハイパーリンク３に代えてハイパーリンク１が仮選択状態となる。こうして仮選択ＨＬとなったハイパーリンク１からリリースを行えば、ハイパーリンク１の選択が確定する。
【００５８】
上述したようなブラウジング画像に関するタッチ制御は、たとえば、メインメモリ３４に記憶された図３に示す各種のプログラム（５２〜５６）およびデータ（６２〜７４）に基づいて、ＣＰＵ２４が図５〜図６に示すフローに従う処理を実行することにより実現される。
【００５９】
詳しくは、まず図３を参照して、メインメモリ３４はプログラム領域５０およびデータ領域７０を含み、プログラム領域５０にはタッチ選択プログラム５２，ブラウザ５４および入出力制御プログラム５６などが、データ領域６０にはタッチ状態フラグ６２，タッチ位置情報６４，ハイパーテキストデータ６６，仮選択ＨＬ６８，ブラウジング画像データ７０，ＨＬ位置情報７２および拡大画像データ７４などが、それぞれ記憶される。
【００６０】
なお、図示は省略するが、プログラム領域５０には、先述した通話モード，撮影モードおよびデータ通信モードなどを実現するための各種制御プログラムも記憶される。
【００６１】
タッチ選択プログラム５２は、タッチパネル３２が設けられたディスプレイ３０の画面（以下“タッチ画面３０／３２”）に複数のハイパーリンクを含むブラウジング画像を表示して任意の１つを選択させる（図２（Ａ）〜図２（Ｃ）参照）ためのプログラムであり、データ領域６０を参照しつつ図５〜図６のフローに従う処理をＣＰＵ２４に実行させる。
【００６２】
ブラウザ５４は、ＨＴＭＬ文書（Ｗｅｂページ）の閲覧（ブラウジング）を行うためのアプリケーションプログラムであり、インターネット上のサーバから該当するハイパーテキストデータを取得して、これに基づく文書（ページ）の画像（ブラウジング画像ＢＩ）をタッチ画面３０／３２に表示する。
【００６３】
入出力制御プログラム５６は、主としてタッチパネル３２からの入力およびディスプレイ３０への出力を制御するためのプログラムであり、具体的には、タッチパネル３２からの信号に基づいて、タッチパネル３２に指などがタッチしている状態（タッチ状態）か何もタッチしていない状態（非タッチ状態）かを判別したり、タッチ位置つまりタッチ点Ｐの座標（図４参照）を検出したりする。また、ブラウザ５６と共働してブラウジング画像ＢＩを表示したり、さらにタッチ選択プログラム５２とも共働してブラウジング画像ＢＩ上にタッチ位置周辺の拡大画像ＥＩを表示したりもする。
【００６４】
タッチ状態フラグ６２は、現時点でのタッチパネル３２の状態つまりタッチパネル３２に指などがタッチしている状態（タッチ状態＝１）か何もタッチしていない状態（非タッチ状態＝０）かを示すフラグであり、入出力制御プログラム５２によって制御（たとえば１／６０秒周期で更新）される。タッチ位置情報６４は、現時点でのタッチ位置つまりタッチ点Ｐの座標（ｘ，ｙ）を示す情報であり、入出力制御プログラム５２によって書き込まれる（たとえば１／６０秒周期で更新される）。
【００６５】
ハイパーテキストデータ６６は、ブラウジング画像ＢＩを作成するためのデータであり、ブラウザ５４によってインターネット上のサーバから取得される。仮選択ＨＬ６８は、現時点で仮選択されている（仮選択状態で表示されている）ハイパーリンクを示す情報であり、ハイパーリンクｉ（１，２，３，…）が選択されている場合は“ｉ”が、何もされていない場合は“０”が、タッチ選択プログラム５２によって書き込まれる。
【００６６】
ブラウジング画像データ７０は、ハイパーテキストデータ６６から作成されたブラウジング画像ＢＩのデータであり、入出力制御プログラム５２によって書き込まれる（たとえば１／６０秒周期で更新される）。このようなブラウジング画像データ７０がドライバ２８を介してディスプレイ３０に与えられることで、図２（Ａ）に示すようなブラウジング画像ＢＩがタッチ画面３０／３２に表示される。
【００６７】
ＨＬ位置情報７２は、ブラウジング画像ＢＩ内でのハイパーリンク１，２，３，…（図２（Ａ）参照）の表示位置を示す情報である。この実施例では、図４に示すように、タッチ画面３０／３２の右上隅を原点Ｏとして右向きにＸ軸が、下向きにＹ軸が定義される。ハイパーリンク１の位置情報は、ハイパーリンク１が表示される領域Ｈ１を規定する“始点座標および終点座標”の態様で記述され、ハイパーリンク２，３，…の位置情報も同様に記述される（図４参照）。なお、位置情報は、“始点および終点の中点座標”つまり“重心座標”の態様で記述されてもよい。
【００６８】
拡大画像データ７４は、ブラウジング画像ＢＩのタッチ位置周辺を拡大した拡大画像ＥＩのデータであり、たとえば、図４に示すような、タッチ点Ｐを中心とする半径ｒの円Ｃ内の画像を半径比でｋ倍に拡大した画像のデータが、タッチ選択プログラム５２によって書き込まれる（たとえば１／６０秒周期で更新される）。
【００６９】
タッチ選択プログラム５２は、さらに、図２（Ａ）のブラウジング画像ＢＩが表示された状態で、このような拡大画像データ７４をドライバ２８に与えて、ブラウジング画像ＢＩの上に拡大画像ＥＩを描画させる。その結果、図２（Ｂ），図２（Ｃ）に示すように、ブラウジング画像ＢＩの指先周辺があたかも虫眼鏡で見たように拡大し、指で所望のハイパーリンクの選択を容易に行えるようになる。
【００７０】
次に、タッチ制御プログラム５２に基づくＣＰＵ２４の具体的な動作を説明する。図５および図６に示すタッチ制御処理は、現時点で表示中のブラウジング画像ＢＩに関する処理であり、ハイパーテキストデータ６６がデータ領域６０に記憶されてブラウジング画像ＢＩがタッチ画面３０／３２に表示されたとき起動される。このブラウジング画像ＢＩでハイパーリンクが選択され、表示が次のブラウジング画像（図示せず）に移ると、このタッチ制御処理はいったん終了され、新たなブラウジング画像に関し同様のタッチ制御処理が開始される。
【００７１】
図５を参照して、ＣＰＵ２４は、最初、ステップＳ１で、ハイパーリンクへのタッチがあったか否かを、データ領域６０に記憶されたタッチ状態フラグ６２，タッチ位置情報６４およびＨＬ位置情報７２に基づいて判別する。具体的には、タッチ状態フラグ６２が非タッチ状態を示す“０”の場合はＮＯと判別し、また、タッチ状態フラグ６２がタッチ状態を示す“１”であり、かつタッチ点Ｐの座標がいずれかのハイパーリンクの表示領域（Ｈ１，Ｈ２，…）内に含まれている場合はＹＥＳと判別し、そして、タッチ状態フラグ６２がタッチ状態を示す“１”であるが、タッチ点Ｐの座標がいずれのハイパーリンクの表示領域内にも含まれていない場合もＮＯと判別する。
【００７２】
ステップＳ１でＮＯであれば、所定の待機時間（たとえば１／６０秒）を経て同様の判別を繰り返す。ステップＳ１でＹＥＳであれば、ステップＳ３に進み、タッチされたハイパーリンクを仮選択状態で表示する。具体的には、タッチされたハイパーリンク（の識別子ｉ）を仮選択ＨＬ６８にセットした後、ドライバ２８に命じて、ブラウジング画像ＢＩ内の仮選択ＨＬ６８に該当するハイパーリンクｉを仮選択状態で表示（強調表示ないし反転表示等）させる。なお、強調や反転に限らず、例えば色を変えたり、点滅させてもよく、あるいは、これらを適宜組み合わせることも可能である。一般には、タッチされたハイパーリンクの表示態様を変化させることで、タッチされていないハイパーリンクと区別できるようにすればよい。
【００７３】
次に、仮選択ＨＬ６８セット（つまり仮選択状態で表示）されているハイパーリンクの近傍に他のハイパーリンクがあるか否かをステップＳ５で判別する。具体的には、タッチ点Ｐを中心とする所定半径ｒの円Ｃ内：図４参照）に他のハイパーリンクがあるか否かを判定する。他のハイパーリンクの表示領域の一部でも円Ｃ内に含まれていれば、ステップＳ５でＹＥＳと判定し、ステップ７に進む。そうでなければ（他のハイパーリンクの表示領域が円Ｃ内に全く含まれていなければ）、ステップＳ５でＮＯと判定し、図６に示されるステップＳ２１（後述）に移る。
【００７４】
なお、ステップＳ５の判定には、図４に示す円Ｃに代えて、仮選択ＨＬの表示領域の重心点（始点および終点の中点）を中心とする所定半径の円を用いてもよい。判定に用いる円（判定円）は、完全な円形でなくてもよく、たとえば楕円形でもよい。または、判定円に代えて、矩形（たとえばタッチ点Ｐを重心とする正方形，長方形など）やその他の形状（たとえばタッチ点Ｐを重心とする正六角形，正八角形といった多角形）を有する判定領域を用いてもよい。
【００７５】
ステップＳ７では、タッチ点周辺（ここでは円Ｃ内）の画像を拡大表示する。具体的には、ブラウジング画像データ７０のうち円Ｃ内にある画像データをｋ倍（ｋ＞１）に拡大して、この拡大画像データ（つまりタッチ点Ｐを中心とする半径ｋｒの円形画像のデータ）を拡大画像データ７４としてデータ領域６０に書き込む。そして、拡大画像データ７４をドライバ２８に与え、ブラウジング画像ＢＩの上に拡大画像ＥＩを透過度ゼロで描画させる。これにより、図２（Ｂ），図２（Ｃ）に示すような、指先周辺を虫眼鏡で見たように拡大した拡大画像ＥＩが、ブラウジング画像ＢＩ上に表示される。
【００７６】
なお、円Ｃ内の画像を拡大表示する代わりに、円Ｃに内接する矩形内の画像を拡大表示したり、仮選択ＨＬ（仮選択ＨＬ６８にセットされているハイパーリンク）の表示領域の重心点を中心とする所定半径の円内の画像を拡大表示してもよい。つまり、ステップＳ７で拡大する領域（拡大領域）は、この実施例ではステップＳ５で判定に用いた領域（判定領域）と同一であるが、これに限らず、タッチ点周辺の領域であればよい。
【００７７】
その後、ステップＳ９に進み、拡大画像ＥＩ内で他のハイパーリンクへのスライド操作があったか否かをタッチ状態フラグ６２，タッチ位置情報６４およびＨＬ位置情報７２に基づいて判別する。具体的には、タッチ状態フラグ６２がタッチ状態を示す“１”のまま、タッチ点Ｐの座標が他のいずれかのハイパーリンクの表示領域（Ｈ１，Ｈ２，…）内に入った場合はＹＥＳと判別し、他方、タッチ状態フラグ６２が非タッチ状態を示す“０”に変化したり、タッチ点Ｐの座標が他のいずれのハイパーリンクの表示領域（Ｈ１，Ｈ２，…）内にも入らない場合はＮＯと判別する。ステップＳ９でＹＥＳであれば、ステップＳ１１を経てステップＳ１３に進み、ステップＳ９でＮＯであれば、ステップＳ１１をスキップしてステップＳ１３に進む。
【００７８】
ステップＳ１１では、スライド元のハイパーリンクに代えて、スライド先のハイパーリンクを仮選択状態で表示する。具体的には、スライド元のハイパーリンク（ｉ）に代えてスライド先のハイパーリンク（ｊ）を仮選択ＨＬ６８にセットした後、ドライバ２８に命じて、拡大画像ＥＩ内の仮選択ＨＬ６８に該当するハイパーリンクｊを仮選択状態で表示（強調表示ないし反転表示等）させる。なお、スライド先のハイパーリンクは、タッチ位置情報６４とＨＬ位置情報７２との比較により特定できる。つまり、タッチ位置情報６４は現時点のタッチ座標を示すので、ＨＬ位置情報７２の中からこれを表示領域に含むようなハイパーリンクを特定すればよい。
【００７９】
ステップＳ１３では、仮選択ＨＬ（仮選択ＨＬ６８に該当するハイパーリンク）からリリースがあったか否かをタッチ状態フラグ６２，タッチ位置情報６４およびＨＬ位置情報７２に基づいて判別する。ステップＳ１３でＮＯであれば、さらにステップＳ１５で、仮選択ＨＬ以外からリリースがあったか否かをタッチ状態フラグ６２，タッチ位置情報６４およびＨＬ位置情報７２に基づいて判別する。ステップＳ１５でもＮＯであれば、ステップＳ９に戻って上記と同様の処理を繰り返す。
【００８０】
具体的には、タッチ位置情報６４の示す現時点のタッチ座標が、ＨＬ位置情報７２に記述された表示領域Ｈ１，Ｈ２，…のうち仮選択ＨＬの表示領域内に含まれていない状態で、タッチ状態フラグ６２が“１”から“０”に変化すると、ステップＳ１５でＹＥＳと判別し、ステップＳ１７に進む。ステップＳ１７では、ハイパーリンクの仮選択を解除し、かつ拡大表示を消去する。具体的には、仮選択ＨＬ６８を初期化し（ｉ＝０）、かつ拡大画像データ７４を削除する。その後、ステップ１に戻って上記と同様の処理を繰り返す。
【００８１】
タッチ位置情報６４の示す現時点のタッチ座標が、ＨＬ位置情報７２に記述された表示領域Ｈ１，Ｈ２，…のうち仮選択ＨＬの表示領域内に含まれている状態で、タッチ状態フラグ６２が“１”から“０”に変化すると、ステップＳ１３でＹＥＳと判別し、ステップ１９に進む。ステップＳ１９では、仮選択ＨＬを本選択ＨＬに決定して、これに関連付けられた処理（たとえば、対応するハイパーテキストデータの取得、取得したハイパーテキストデータに基づく表示画像の更新など）を実行する。
【００８２】
次に、図６を参照して、ステップＳ２１では、仮選択ＨＬ（仮選択ＨＬ６８に該当するハイパーリンク）からリリースがあったか否かをタッチ状態フラグ６２，タッチ位置情報６４およびＨＬ位置情報７２に基づいて判別する。ステップＳ２１でＮＯであれば、さらにステップＳ２３で、仮選択ＨＬ以外からリリースがあったか否かをタッチ状態フラグ６２，タッチ位置情報６４およびＨＬ位置情報７２に基づいて判別する。ステップＳ２３でもＮＯであれば、ステップＳ２１に戻って上記と同様の処理を繰り返す。
【００８３】
具体的には、タッチ位置情報６４の示す現時点のタッチ座標が、ＨＬ位置情報７２に記述された表示領域Ｈ１，Ｈ２，…のうち仮選択ＨＬの表示領域内に含まれていない状態で、タッチ状態フラグ６２が“１”から“０”に変化すると、ステップＳ２３でＹＥＳと判別し、ステップＳ２５に進む。ステップＳ２５では、仮選択ＨＬ６８を初期化することで（ｉ＝０）、ハイパーリンクの仮選択を解除する。その後、ステップ１に戻って上記と同様の処理を繰り返す。
【００８４】
タッチ位置情報６４の示す現時点のタッチ座標が、ＨＬ位置情報７２に記述された表示領域Ｈ１，Ｈ２，…のうち仮選択ＨＬの表示領域内に含まれている状態で、タッチ状態フラグ６２が“１”から“０”に変化すると、ステップＳ２１でＹＥＳと判別し、ステップ２７に進む。ステップＳ２７では、仮選択ＨＬを本選択ＨＬに決定して、これに関連付けられた処理（たとえば、対応するハイパーテキストデータの取得、取得したハイパーテキストデータに基づく表示画像の更新など）を実行する。
【００８５】
このブラウジング画像ＢＩに関するタッチ制御処理は、ステップＳ１９またはＳ２７の実行を以ていったん終了され、その後、タッチ画面３０／３２の表示が次のブラウジング画像に更新されると、新たなブラウジング画像に関するタッチ制御処理が開始される。
【００８６】
以上から明らかなように、この実施例の携帯端末１０は、タッチ画面３０／３２を有し、複数のハイパーリンク１，２，３…（Ｈ１，Ｈ２，Ｈ３…）を含むブラウジング画像（ＢＩ）をタッチ画面３０／３２に表示して、任意のハイパーリンクをユーザに選択させる。その際、ＣＰＵ（２４）が、いずれかのハイパーリンク（たとえばＨ２）へのタッチが検出されたとき、当該タッチ位置（タッチ点Ｐ）を中心とする一定範囲（半径ｒの円Ｃ）内に他のハイパーリンク（たとえばＨ１，Ｈ３）があるか否かを判定し（Ｓ１：ＹＥＳ→Ｓ５）、一定範囲内に他のハイパーリンクがあると判定された場合に、ブラウジング画像ＢＩのタッチ位置周辺を拡大した拡大画像ＥＩをタッチ画面３０／３２にタッチ位置を中心として表示し（Ｓ５：ＹＥＳ→Ｓ７）、そして拡大画像ＥＩにおいて任意のハイパーリンクを選択させる（Ｓ１３）。
【００８７】
このように、ブラウジング画像ＢＩに含まれるいずれかのハイパーリンクへのタッチが検出されたとき、そのタッチされたハイパーリンクの近傍に他のハイパーリンクがある場合には、タッチ位置周辺を拡大するので、ユーザは、複数のハイパーリンクが互いに隣接していても、拡大画像ＥＩから所望のハイパーリンクを正しく選択することができる。また、拡大画像ＥＩは、タッチ位置を中心として表示されるので、ユーザは、拡大画像ＥＩからハイパーリンクを選択する際にも、指を大きく移動させる必要がなく、操作量が抑制される。したがって、少ない操作量で正確なハイパーリンクの選択が行える。
【００８８】
ＣＰＵ２４はまた、上記のようにタッチされたハイパーリンクを仮選択状態として、当該仮選択ハイパーリンクの表示態様を他のハイパーリンクとは区別可能に変更する（Ｓ３）。なお、表示態様の変更は、典型的には強調表示や反転表示であるが、色を変えたり、点滅させてもよく、あるいは、これらを適宜組み合わせ行うことも可能である。
【００８９】
ハイパーリンクが隣接していると、ユーザは、どれにタッチしたかわからない場合もあるが、表示態様の変更によって、仮選択状態にあるハイパーリンクをユーザに認識させることができる。
【００９０】
他方、タッチされたハイパーリンクの近傍に他のハイパーリンクがない場合には、拡大画像は表示されず、タッチされたハイパーリンクが仮選択状態となるので、その仮選択ハイパーリンクから指をリリースするだけで、そのハイパーリンクの選択を確定させることができる。
【００９１】
また、ＣＰＵ２４は、拡大表示の範囲から指が外れた場合、仮選択状態となっているハイパーリンクの表示態様を元に戻すと共に、拡大表示を解除する（Ｓ１５：ＹＥＳ→Ｓ１７）。こうして、仮選択を解除し、かつ拡大表示を解除することで、タッチをやり直すことができる。
【００９２】
以上では、携帯端末１０について説明したが、この発明は、タッチ画面（タッチパネル付きの液晶画面など）を有する電子機器、特に小型で高解像度のタッチ画面を有する携帯型の電子機器（スマートフォン，タブレットＰＣ，携帯情報端末など）に適用できる。
【００９３】
この発明はまた、視線入力により選択を行う視線選択装置への適用も可能である。この場合、図５〜図６のフローにおける「タッチ」は「視線」ないし「視線検出」と読み替えられる。「スライド」は「視線移動」と読み替えられる。「仮選択ＨＬからのリリース」は、たとえば「仮選択ＨＬの注視（一定時間以上の視線検出）」と読み替えられる。
【符号の説明】
【００９４】
１０  …携帯端末
２２  …無線通信回路
２４  …ＣＰＵ
３０  …ディスプレイ
３２  …タッチパネル
３４  …メインメモリ
Ｈ１，Ｈ２，Ｈ３  …ハイパーリンク１，２，３の表示領域
Ｐ  …タッチ点
Ｃ  …タッチ点を中心とする円（判定領域／拡大領域）
ＢＩ  …ブラウジング画像
ＥＩ  …拡大画像
【図１】
2014026359.tif 000003
【図２】
2014026359.tif 000004
【図３】
2014026359.tif 000005
【図４】
2014026359.tif 000006
【図５】
2014026359.tif 000007
【図６】
2014026359.tif 000008